(57)【要約】【課題】耐圧の低いコンデンサを使用することでコストダウンができたり、或いはまたサイズダウンができる昇圧回路を提供する。【解決手段】チャージポンプ式ＤＣ／ＤＣコンバータ５０は、昇圧する元となる入力電圧（直流入力電圧Ｖin）を受け入れる電圧入力ライン（中間電圧入力ライン５１）と、昇圧した出力電圧（直流出力電圧Ｖout）を外部（ゲート回路２１）に供給する電圧出力ライン（電圧出力ライン５２）と、一端が上記電圧入力ライン（中間電圧入力ライン５１）に接続される一方で、他端が上記電圧出力ライン（電圧出力ライン５２）に接続される平滑用コンデンサ（平滑用コンデンサＣ５２）と、を備える。【選択図】図３
2009050113.tif 000002
【特許請求の範囲】
【請求項１】
昇圧する元となる入力電圧を受け入れる電圧入力ラインと、
昇圧した出力電圧を外部に供給する電圧出力ラインと、
一端が上記電圧入力ラインに接続される一方で、他端が上記電圧出力ラインに接続される平滑用コンデンサと、
を備えることを特徴とする昇圧回路。
【請求項２】
上記平滑用コンデンサは、
昇圧用コンデンサを有し、上記電圧入力ラインに入力される直流入力電圧を昇圧して上記電圧出力ラインから直流出力電圧を出力するチャージポンプ式ＤＣ／ＤＣコンバータに備えられていることを特徴とする請求項１に記載の昇圧回路。
【請求項３】
上記チャージポンプ式ＤＣ／ＤＣコンバータの前段には、
チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータを備えることを特徴とする請求項２に記載の昇圧回路。
【請求項４】
上記チャージポンプ式ＤＣ／ＤＣコンバータは、
上記チョークコイルの出力側であって平滑される前の電圧パルスを受け入れて、上記電圧入力ラインに入力される直流入力電圧を昇圧することを特徴とする請求項３に記載の昇圧回路。
【請求項５】
チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータと、
昇圧用コンデンサと、スイッチ素子として機能するトランジスタと、上記平滑用コンデンサとを有し、上記チョークコイルの出力側であって平滑される前の電圧パルスを受け入れて、上記電圧入力ラインに入力される直流入力電圧を昇圧して上記電圧出力ラインから直流出力電圧を出力するチャージポンプ式ＤＣ／ＤＣコンバータと、
を備えることを特徴とする請求項１に記載の昇圧回路。
【請求項６】
チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータと、
エミッタが上記電圧入力ラインに接続され、コレクタが第１ダイオードのアノード側に接続され、ベースが第１抵抗を介して接地されるトランジスタと、一端が上記電圧入力ラインに接続される一方で、他端が上記トランジスタのベースに接続される昇圧用コンデンサと、一端が上記電圧出力ラインに接続される一方で、他端が接地される終端コンデンサと、一端が上記終端コンデンサよりも入力側にて上記電圧出力ラインに接続される一方で、他端が接地される第２抵抗と、カソード側が上記第２抵抗よりも入力側にて上記電圧出力ラインに接続される一方で、アノード側が第３抵抗を介して上記トランジスタのベースに接続されるツェナーダイオードと、一端が上記ツェナーダイオードよりも入力側にて上記電圧出力ラインに接続される一方で、他端が上記電圧入力ラインに接続される平滑用コンデンサと、上記第１ダイオードと直列に接続されつつカソード側が上記平滑用コンデンサよりも入力側にて上記電圧出力ラインに接続される第２ダイオードと、一端が上記第１ダイオードと上記第２ダイオードとの間の線路に接続される中間コンデンサとを有し、上記チョークコイルの出力側であって平滑される前の電圧パルスを上記中間コンデンサの他端から該中間コンデンサを介して上記線路に受け入れて、上記電圧入力ラインに入力される直流入力電圧を昇圧して上記電圧出力ラインから直流出力電圧を出力するチャージポンプ式ＤＣ／ＤＣコンバータと、
を備えることを特徴とする請求項１に記載の昇圧回路。 
【発明の詳細な説明】
【技術分野】
【０００１】
本発明は、昇圧回路に係り、特に、電圧入力ラインに接続される平滑用コンデンサに関する。
【背景技術】
【０００２】
供給電圧よりも高い電圧を必要とする外部回路に、その供給電圧を入力電圧として受け入れて外部回路が必要とする電圧に応じて昇圧した昇圧電圧を出力する昇圧回路がよく知られている。
【０００３】
例えば、特許文献１〜４には、昇圧用コンデンサを有し、スイッチ（スイッチ素子）を用いて回路の接続状態を切り換えて入力電圧を昇圧する昇圧回路（チャージポンプ回路）が開示されている。
【０００４】
図４は、従来の昇圧回路の一例を示す概略の回路図である。図４において、昇圧回路１は、チョッパ式ＤＣ／ＤＣコンバータ２と、チャージポンプ式ＤＣ／ＤＣコンバータ３を備えている。チョッパ式ＤＣ／ＤＣコンバータ２は、チョークコイルＬ２１と昇圧ＤＣ／ＤＣコントローラＩＣ４とを有し、電源電圧ライン５に入力される直流電源電圧Ｖｓを昇圧して中間電圧出力ライン６から直流中間電圧Ｖmidを出力する。チャージポンプ式ＤＣ／ＤＣコンバータ３は、昇圧用コンデンサＣ３１と、トランジスタＴＲ３１と、平滑用コンデンサＣ３２とを有し、チョークコイルＬ２１の出力側であって平滑用コンデンサＣ２１により平滑される前の電圧パルスを受け入れて、中間電圧入力ライン７に入力される直流入力電圧Ｖinすなわち直流中間電圧Ｖmidを昇圧して電圧出力ライン８から直流出力電圧Ｖoutを出力する。
【特許文献１】特開２００３−６１３３９号公報
【特許文献２】特開２００５−３１２１９３号公報
【特許文献３】特許第３７５７２１９号公報
【特許文献４】特開２００７−２０２４８号公報
【発明の開示】
【発明が解決しようとする課題】
【０００５】
ところで、図４のチャージポンプ式ＤＣ／ＤＣコンバータ３では、昇圧後の電圧ラインとグランド（ＧＮＤ）との間すなわち電圧出力ライン８−ＧＮＤ間に平滑用コンデンサＣ３２が配置されており、その平滑用コンデンサＣ３２の耐圧を直流出力電圧Ｖout以上に設定する必要があった。一般的に、コンデンサの耐圧が高い程、コストが高くなる傾向があったり、またコンデンサ自体のサイズも大きくなる傾向がある。そのため、昇圧回路を含む回路全体のコストアップや回路全体の大型化の要因となる可能性があった。
【０００６】
本発明は上記課題に鑑みて為されたもので、その目的とするところは、耐圧の低いコンデンサを使用することでコストダウンができたり、或いはまたサイズダウンができる昇圧回路を提供することにある。
【課題を解決するための手段】
【０００７】
上記目的を達成するための請求項１に記載の発明は、昇圧する元となる入力電圧を受け入れる電圧入力ラインと、昇圧した出力電圧を外部に供給する電圧出力ラインと、一端が上記電圧入力ラインに接続される一方で、他端が上記電圧出力ラインに接続される平滑用コンデンサと、を備える構成としてある。
【０００８】
上記のように構成された本発明の昇圧回路において、昇圧元の入力電圧となる電圧入力ラインと昇圧後の出力電圧となる電圧出力ラインとの間すなわち電圧出力ライン−電圧入力ライン間に平滑用コンデンサが配置されることから、電圧出力ライン−ＧＮＤ間に平滑用コンデンサが配置されることに比較して、耐圧の低い平滑用コンデンサを使用することが可能となる。
【０００９】
また、好適には、上記平滑用コンデンサは、昇圧用コンデンサを有し、上記電圧入力ラインに入力される直流入力電圧を昇圧して上記電圧出力ラインから直流出力電圧を出力するチャージポンプ式ＤＣ／ＤＣコンバータに備えられている構成としても良い。このように構成されることで、チャージポンプ式ＤＣ／ＤＣコンバータにおいて、電圧出力ライン−電圧入力ライン間に平滑用コンデンサが配置されることから、電圧出力ライン−ＧＮＤ間に平滑用コンデンサが配置されることに比較して、耐圧の低い平滑用コンデンサを使用することが可能となる。
【００１０】
また、好適には、上記昇圧回路において、上記チャージポンプ式ＤＣ／ＤＣコンバータの前段には、チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータを備える構成としても良い。このように構成されることで、上記電圧出力ラインにおける負荷電流よりも上記電圧入力ラインにおける負荷電流が大きくされることから、電圧出力ライン−電圧入力ライン間に平滑用コンデンサが挿入されることによる影響が抑制される。
【００１１】
また、好適には、上記チャージポンプ式ＤＣ／ＤＣコンバータは、上記チョークコイルの出力側であって平滑される前の電圧パルスを受け入れて、上記電圧入力ラインに入力される直流入力電圧を昇圧する構成としても良い。
【００１２】
また、好適には、上記昇圧回路において、(a) チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータと、(b) 昇圧用コンデンサと、スイッチ素子として機能するトランジスタと、上記平滑用コンデンサとを有し、上記チョークコイルの出力側であって平滑される前の電圧パルスを受け入れて、上記電圧入力ラインに入力される直流入力電圧を昇圧して上記電圧出力ラインから直流出力電圧を出力するチャージポンプ式ＤＣ／ＤＣコンバータと、を備える構成としても良い。このように構成されることで、チャージポンプ式ＤＣ／ＤＣコンバータにおいて、電圧出力ライン−電圧入力ライン間に平滑用コンデンサが配置されることから、電圧出力ライン−ＧＮＤ間に平滑用コンデンサが配置されることに比較して、耐圧の低い平滑用コンデンサを使用することが可能となる。また、上記電圧出力ラインにおける負荷電流よりも上記電圧入力ラインにおける負荷電流が大きくされることから、電圧出力ライン−電圧入力ライン間に平滑用コンデンサが挿入されることによる影響が抑制される。
【００１３】
また、好適には、上記昇圧回路において、(a) チョークコイルと昇圧ＤＣ／ＤＣコントローラＩＣとを有し、電源電圧ラインに入力される直流電源電圧を昇圧して上記電圧入力ラインへ上記直流入力電圧を出力すると共に、上記電圧出力ラインにおける負荷電流よりも大きな負荷電流となる負荷が上記電圧入力ラインに接続されるチョッパ式ＤＣ／ＤＣコンバータと、(b) エミッタが上記電圧入力ラインに接続され、コレクタが第１ダイオードのアノード側に接続され、ベースが第１抵抗を介して接地されるトランジスタと、一端が上記電圧入力ラインに接続される一方で、他端が上記トランジスタのベースに接続される昇圧用コンデンサと、一端が上記電圧出力ラインに接続される一方で、他端が接地される終端コンデンサと、一端が上記終端コンデンサよりも入力側にて上記電圧出力ラインに接続される一方で、他端が接地される第２抵抗と、カソード側が上記第２抵抗よりも入力側にて上記電圧出力ラインに接続される一方で、アノード側が第３抵抗を介して上記トランジスタのベースに接続されるツェナーダイオードと、一端が上記ツェナーダイオードよりも入力側にて上記電圧出力ラインに接続される一方で、他端が上記電圧入力ラインに接続される平滑用コンデンサと、上記第１ダイオードと直列に接続されつつカソード側が上記平滑用コンデンサよりも入力側にて上記電圧出力ラインに接続される第２ダイオードと、一端が上記第１ダイオードと上記第２ダイオードとの間の線路に接続される中間コンデンサとを有し、上記チョークコイルの出力側であって平滑される前の電圧パルスを上記中間コンデンサの他端から該中間コンデンサを介して上記線路に受け入れて、上記電圧入力ラインに入力される直流入力電圧を昇圧して上記電圧出力ラインから直流出力電圧を出力するチャージポンプ式ＤＣ／ＤＣコンバータと、を備える構成としても良い。このように構成されることで、チャージポンプ式ＤＣ／ＤＣコンバータにおいて、電圧出力ライン−電圧入力ライン間に平滑用コンデンサが配置されることから、電圧出力ライン−ＧＮＤ間に平滑用コンデンサが配置されることに比較して、耐圧の低い平滑用コンデンサを使用することが可能となる。また、上記電圧出力ラインにおける負荷電流よりも上記電圧入力ラインにおける負荷電流が大きくされることから、電圧出力ライン−電圧入力ライン間に平滑用コンデンサが挿入されることによる影響が抑制される。
【発明の効果】
【００１４】
以上説明したように、請求項１に記載の発明によれば、電圧出力ライン−ＧＮＤ間に平滑用コンデンサが配置されることに比較して、耐圧の低い平滑用コンデンサを使用することが可能となるので、昇圧回路のコストダウンができたり、或いはまた昇圧回路のサイズダウンができる。
【００１５】
また、本発明によれば、チャージポンプ式ＤＣ／ＤＣコンバータにおいて、電圧出力ライン−ＧＮＤ間に平滑用コンデンサが配置されることに比較して、耐圧の低い平滑用コンデンサを使用することが可能となるので、昇圧回路全体のコストダウンができたり、或いはまた昇圧回路全体のサイズダウンができる。
【００１６】
また、本発明によれば、電圧出力ライン−電圧入力ライン間に平滑用コンデンサが挿入されることによる影響が抑制されるので、適切に昇圧回路全体のコストダウンができたり、或いはまた昇圧回路全体のサイズダウンができる。
【００１７】
また、本発明によれば、チャージポンプ式ＤＣ／ＤＣコンバータにおいて、電圧出力ライン−電圧入力ライン間に平滑用コンデンサが挿入されることによる影響が抑制されつつ、電圧出力ライン−ＧＮＤ間に平滑用コンデンサが配置されることに比較して、耐圧の低い平滑用コンデンサを使用することが可能となるので、適切に昇圧回路全体のコストダウンができたり、或いはまた昇圧回路全体のサイズダウンができる。
【発明を実施するための最良の形態】
【００１８】
以下、下記の項目に従って本発明の実施形態を図面を参照しつつ説明する。
（１）薄型テレビジョン装置の概略構成
（２）昇圧回路の構成
（３）まとめ
【００１９】
（１）薄型テレビジョン装置の概略構成
以下、図１、２を参照して本発明が適用される昇圧回路３０（図３参照）を備えた液晶テレビジョン装置１０の概略構成を説明する。図１は液晶テレビジョン装置１０のブロック構成図であり、図２は液晶モジュール１２のブロック構成図である。尚、本実施形態では本発明が適用される薄型テレビジョン装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。また、薄型テレビジョン装置でなくとも、平滑用コンデンサを備える昇圧回路を備えておれば本発明は適用され得る。例えば、上記昇圧回路を備えるオーディオ・ビジュアル機器等に本発明は適用され得る。
【００２０】
図１において、液晶テレビジョン装置１０は、映像回路１１と、液晶モジュール１２と、電源回路１３と、マイコン１４と、インバータ回路１５とを備えている。
【００２１】
電源回路１３は、外部の商用電源等から電源電圧（交流）の供給を受けるとともに、同供給された電源電圧を、マイコン１４を始めインバータ回路１５等の各回路へ供給する。電源回路１３は、必要に応じて各回路へ供給する電圧を交流から直流へと変換する。
【００２２】
マイコン１４は、液晶テレビジョン装置１０を構成する各部と電気的に接続されており、マイコン１４内部の構成部品としてのＣＰＵ１４ａが、同じくマイコン１４内の構成部品であるＲＯＭ１４ｂやＲＡＭ１４ｃなどに書き込まれた各プログラムに従って、液晶テレビジョン装置１０全体を制御する。
【００２３】
映像回路１１は、入力されたＲＧＢ（レッド、グリーン、ブルー）信号からなるデジタル画像データに対して液晶パネル１２ａのマトリクス状に配列された画素数（横縦比、ｍ：ｎ）に合わせたスケーリング処理を行い、液晶パネル１２ａに表示する１画面分の画像データを生成する。さらに、この画像データに対して、輝度補正、コントラスト調整、彩度補正等の各種処理を行った上で、処理後の画像データを液晶モジュール１２へ出力する。尚、上記ＲＧＢ信号からなるデジタル画像データは、任意の画像を表現する基となる映像信号から抽出された輝度信号と色差信号とに基づいてマトリクス変換処理が行われて生成された画像データであったり、マイコン等により生成された画像データ等である。また、上記映像信号は、例えば公知のアンテナによって受信されたテレビジョン放送信号から公知のチューナ回路によって抽出された映像信号や映像再生機器から出力された映像信号等である。
【００２４】
液晶モジュール１２は、液晶パネル１２ａと、パネル駆動回路１２ｂと、バックライト１２ｃとから構成される。液晶パネル１２ａは、例えばアクティブマトリクス駆動方式のパネルである。パネル駆動回路１２ｂは、映像回路１１から出力された画像データに基づいて制御されて液晶パネル１２ａを駆動することにより、液晶パネル１２ａに画像データに応じた画像を表示させる。バックライト１２ｃは、液晶パネル１２ａを背面側から照射する光源であり、例えば複数本の冷陰極管等を有する。
【００２５】
インバータ回路１５は、電源回路１３から供給された直流電圧を交流電圧に変換し、駆動信号としてのその交流電圧をバックライト１２ｃに供給し、バックライト１２ｃを点灯させる。
【００２６】
図２において、パネル駆動回路１２ｂは、ソース回路（ソースドライバ）２０と、ゲート回路（ゲートドライバ）２１と、タイミングコントローラ２２と、内部電源回路２３とから構成される。
【００２７】
液晶パネル１２ａは、液晶物質が充填された複数の画素２６で構成されたパネルの背面に図示しないガラス基板が配置されている。このガラス基板上には、垂直方向に複数配列されそれぞれ水平方向に伸びる走査ラインＧ１〜ＧＮ（Ｎは、２以上の自然数）と、水平方向に複数配列されそれぞれ垂直方向に伸びる信号ラインＳ１〜ＳＭ（Ｍは、２以上の自然数）とが配置されている。また、走査ラインＧｎ２４（１≦ｎ≦Ｎ、ｎは自然数）と信号ラインＳｍ２５（１≦ｍ≦Ｍ、ｍは自然数）との交差点に対応して、液晶物質が充填された画素２６がマトリックス状に設けられている。
【００２８】
画素２６には電界効果トランジスター２７が含まれている。電界効果トランジスター２７のゲート電極２７ａは走査ラインＧｎ２４に接続され、電界効果トランジスター２７のソース電極２７ｂは信号ラインＳｍ２５に接続され、電界効果トランジスター２７のドレイン電極２７ｃはキャパシタで構成された画素電極２８と接続されている。さらに、画素電極２８は液晶パネル１２ａの各画素２６と接続されている。上記構造において電界効果トランジスター２７は信号ラインＳｍ２５に印加された駆動電圧を画素電極２８に印加するスイッチとしての役割を果たす。
【００２９】
画素電極２８が接続された液晶パネル１２ａの各画素２６は、対向電極２９と接続されており、画素電極２８に対向する対向電極２９との間の印加電圧に応じて各画素２６に充填された液晶物質の透過率が変化させられるようになっている。
【００３０】
ソース回路２０は、タイミングコントローラ２２から入力された画像データを基に駆動電圧を生成し信号ラインＳｍ２５にその駆動電圧を印加する。例えば、ソース回路２０は、複数のフリップフロップを有しており、これらフリップフロップからタイミングコントローラ２２で生成されたクロック信号と水平同期信号が入力される。このソース回路２０は、タイミングコントローラ２２が出力するクロック信号に同期して画像データを出力するためのイネーブル入出力信号を保持すると、順次クロック信号に同期して隣接するフリップフロップにイネーブル入出力信号を入力する。
【００３１】
ゲート回路２１は、タイミングコントローラ２２からの信号に従い、内部電源回路２３から入力されたゲートオン用直流電圧を用いて走査ラインＧｎ２４のオンオフ制御に使用する走査ライン駆動信号（ゲートオン信号）を生成する。そして、この生成したゲートオン信号を走査ラインＧｎ２４に印加して走査ラインＧｎ２４を駆動する。
【００３２】
タイミングコントローラ２２は、映像回路１１から供給されたＲＧＢ信号からなる画像データや、マイコン１４から供給されたソース回路２０及びゲート回路２１を制御するための制御信号等に従って、ソース回路２０、ゲート回路２１、及び内部電源回路２３を制御する。より具体的には、タイミングコントローラ２２は、ソース回路２０及びゲート回路２１に対して、例えば動作モードの設定や内部で生成した垂直同期信号や水平同期信号の供給を行う。
【００３３】
内部電源回路２３は、電源回路１３から供給される電源電圧に基づいて、液晶パネル１２ａの液晶駆動に必要な電圧レベルや、ソース回路２０が必要とする直流電圧例えばソース回路２０での駆動電圧に使用される階調電圧を生成するための階調電圧生成用電圧や、ゲート回路２１がゲートオン信号を生成する際に必要となるゲートオン用直流電圧を生成する。
【００３４】
（２）昇圧回路の構成
図３は、内部電源回路２３の一部としての昇圧回路３０の一例を示す概略の回路図である。図３において、昇圧回路３０は、チョッパ式ＤＣ／ＤＣコンバータ４０と、チョッパ式ＤＣ／ＤＣコンバータ４０の後段に配置されたチャージポンプ式ＤＣ／ＤＣコンバータ５０とを備えている。
【００３５】
チョッパ式ＤＣ／ＤＣコンバータ４０は、チョークコイルＬ４１、昇圧ＤＣ／ＤＣコントローラＩＣ４１、平滑用コンデンサＣ４１、コンデンサＣ４２、ＮチャンネルＭＯＳ ＦＥＴ４１およびダイオードＤ４１内蔵のＦＥＴパッケージ４２などを有し、電源回路１３から電源電圧ライン４３に入力される例えば３．３Ｖ程度の直流電源電圧Ｖｓを昇圧して、ソース回路２０が必要とする階調電圧生成用電圧として例えば１３．５Ｖ程度の直流中間電圧Ｖmidを中間電圧出力ライン４４から出力する。この際、昇圧ＤＣ／ＤＣコントローラＩＣ４１によるＦＥＴ４１のスイッチングにより、チョークコイルＬ４１の出力側であって平滑用コンデンサＣ４１により平滑される前のダイオードＤ４１の入力側には所定の電圧パルスＶｐが生じている。尚、コンデンサＣ４２は、負荷側（ソース回路２０側）の変動による電圧変動を抑制する為のコンデンサである。
【００３６】
チャージポンプ式ＤＣ／ＤＣコンバータ５０は、昇圧用コンデンサＣ５１、スイッチ素子として機能するトランジスタＴＲ５１、平滑用コンデンサＣ５２、終端コンデンサＣ５３、中間コンデンサＣ５４などを有し、中間コンデンサＣ５４を介して電圧パルスＶｐを受け入れて、中間電圧出力ライン４４に接続された中間電圧入力ライン５１に入力される直流入力電圧Ｖinすなわちチョッパ式ＤＣ／ＤＣコンバータ４０により中間電圧入力ライン５１へ出力された直流中間電圧Ｖmidを昇圧して、ゲート回路２１がゲートオン信号を生成する際に必要とするゲートオン用直流電圧として例えば２３Ｖ程度の直流出力電圧Ｖoutを電圧出力ライン５２から出力する。
【００３７】
より具体的には、チャージポンプ式ＤＣ／ＤＣコンバータ５０は、
エミッタが中間電圧入力ライン５１に接続され、コレクタが第１ダイオードＤ５１のアノード側に接続され、ベースが第１抵抗Ｒ５１を介して接地されるトランジスタＴＲ５１と、
一端が中間電圧入力ライン５１に接続される一方で、他端がトランジスタＴＲ５１のベースに接続される昇圧用コンデンサＣ５１と、
一端が電圧出力ライン５２に接続される一方で、他端が接地される終端コンデンサＣ５３と、
一端が終端コンデンサＣ５３よりも入力側にて電圧出力ライン５２に接続される一方で、他端が接地される第２抵抗Ｒ５２と、
カソード側が第２抵抗Ｒ５２よりも入力側にて電圧出力ライン５２に接続される一方で、アノード側が第３抵抗Ｒ５３を介してトランジスタＴＲ５１のベースに接続されるツェナーダイオードＺＤ５１と、
一端がツェナーダイオードＺＤ５１よりも入力側にて電圧出力ライン５２に接続される一方で、他端が中間電圧入力ライン５１に接続される平滑用コンデンサＣ５２と、
第１ダイオードＤ５１と直列に接続されつつカソード側が平滑用コンデンサＣ５２よりも入力側にて電圧出力ライン５２に接続される第２ダイオードＤ５２と、
一端が第１ダイオードＤ５１と第２ダイオードＤ５２との間の線路５３に接続される中間コンデンサＣ５４と、
を有し、中間コンデンサＣ５４の他端からその中間コンデンサＣ５４を介して電圧パルスＶｐを線路５３に受け入れて、直流中間電圧Ｖmidを昇圧して直流出力電圧Ｖoutを電圧出力ライン５２から出力する。
【００３８】
特に、チャージポンプ式ＤＣ／ＤＣコンバータ５０においては、平滑用コンデンサＣ５２の耐圧を低くする為にその平滑用コンデンサＣ５２は、電圧出力ライン５２−ＧＮＤ間ではなく、電圧出力ライン５２−中間電圧入力ライン５１間に挿入されている。
また、電圧出力ライン５２から負荷側（ゲート回路２１側）に供給する電流値は例えば数ｍＡ〜十数ｍＡであり、中間電圧出力ライン４４（中間電圧入力ライン５１）から負荷側（ソース回路２０側）に供給する電流値と比較して十分に小さいことから、平滑用コンデンサＣ５２を電圧出力ライン５２−ＧＮＤ間ではなく電圧出力ライン５２−中間電圧入力ライン５１間に挿入してもその影響は最小限とされる。
尚、終端コンデンサＣ５３は、負荷側（ゲート回路２１側）の変動による電圧変動を抑制する為のコンデンサである。
【００３９】
このように、本実施例のチャージポンプ式ＤＣ／ＤＣコンバータ５０は、
昇圧する元となる入力電圧（直流入力電圧Ｖin）を受け入れる電圧入力ライン（中間電圧入力ライン５１）と、
昇圧した出力電圧（直流出力電圧Ｖout）を外部（ゲート回路２１）に供給する電圧出力ライン（電圧出力ライン５２）と、
一端が上記電圧入力ライン（中間電圧入力ライン５１）に接続される一方で、他端が上記電圧出力ライン（電圧出力ライン５２）に接続される平滑用コンデンサ（平滑用コンデンサＣ５２）と、を備える構成とされている。
また、チョッパ式ＤＣ／ＤＣコンバータ４０は、
上記電圧出力ライン（電圧出力ライン５２）における負荷電流よりも大きな負荷電流となる負荷（ソース回路２０）が上記電圧入力ライン（中間電圧入力ライン５１、中間電圧出力ライン４４）に接続される構成とされている。
【００４０】
以上のように、上記構成からなる液晶モジュール１２は、液晶パネル１２ａの各画素２６に電界効果トランジスター２７のドレイン電極２７ｃに接続される画素電極２８と内部電源回路２３から対向電極２９に印加されたコモン電圧との電圧に応じた電荷が充電される。したがって、各画素２６に蓄積された電荷によって保持された画素電極電圧が、所定の閾値を越えると画像表示が可能となる。画素電極電圧が所定の閾値を越えると、その電圧レベルに応じて画素の透過率が変化し、階調表現が可能となる。つまり、上記構成により、映像回路１１から出力された画像データはパネル駆動回路１２ｂにより所定の電圧値を有するアナログ信号に変換された後、液晶パネル１２ａのマトリクス状に配列させられた各画素に印加され、画素に充填される液晶物質の分子配列を変化させてＲＧＢ信号からなる画像データに基づいて液晶テレビジョン装置１０は液晶モジュール１２に画像を表示する。
【００４１】
また、昇圧回路３０（チャージポンプ式ＤＣ／ＤＣコンバータ５０）において、昇圧元の入力電圧となる電圧入力ラインと昇圧後の出力電圧となる電圧出力ラインとの間すなわち電圧出力ライン５２−中間電圧入力ライン５１間に平滑用コンデンサＣ５２が配置されることから、電圧出力ライン５２−ＧＮＤ間に平滑用コンデンサＣ５２が配置されることに比較して、耐圧の低い平滑用コンデンサを使用することが可能となる。
【００４２】
また、電圧出力ライン５２における負荷電流よりも中間電圧入力ライン５１（中間電圧出力ライン４４）における負荷電流が大きくされることから、電圧出力ライン５２−中間電圧入力ライン５１間に平滑用コンデンサＣ５２が挿入されることによる影響が抑制される。
【００４３】
（３）まとめ
上述のように、本実施例によれば、昇圧回路３０（チャージポンプ式ＤＣ／ＤＣコンバータ５０）において、電圧出力ライン５２−ＧＮＤ間に平滑用コンデンサＣ５２が配置されることに比較して、耐圧の低い平滑用コンデンサＣ５２を使用することが可能となるので、チャージポンプ式ＤＣ／ＤＣコンバータ５０（昇圧回路３０全体）のコストダウンができたり、サイズダウンができる。
【００４４】
また、本発明によれば、電圧出力ライン５２−中間電圧入力ライン５１間に平滑用コンデンサＣ５２が挿入されることによる影響が抑制されるので、適切にチャージポンプ式ＤＣ／ＤＣコンバータ５０（昇圧回路３０全体）のコストダウンができたり、サイズダウンができる。
【００４５】
つまり、本発明によれば、昇圧回路３０（チャージポンプ式ＤＣ／ＤＣコンバータ５０）において、電圧出力ライン５２−中間電圧入力ライン５１間に平滑用コンデンサＣ５２が挿入されることによる影響が抑制されつつ、電圧出力ライン５２−ＧＮＤ間に平滑用コンデンサＣ５２が配置されることに比較して、耐圧の低い平滑用コンデンサＣ５２を使用することが可能となるので、適切に昇圧回路３０全体のコストダウンができたり、サイズダウンができる。
【００４６】
以上、本発明の実施例を図面に基づいて詳細に説明したが、本発明はその他の態様においても適用される。
【００４７】
例えば、前述の実施例では、チャージポンプ式ＤＣ／ＤＣコンバータ５０は、ゲート回路２１がゲートオン信号を生成する際に必要とするゲートオン用直流電圧を供給するものであったが、これに限らず、平滑用コンデンサを備えて入力電圧を昇圧して出力する昇圧回路であれば本発明は適用され得る。
【００４８】
なお、上述したのはあくまでも一実施形態であり、本発明は当業者の知識に基づいて種々の変更、改良を加えた態様で実施することができる。
【図面の簡単な説明】
【００４９】
【図１】本発明が適用される昇圧回路を備えた液晶テレビジョン装置のブロック構成図である。
【図２】液晶モジュールのブロック構成図である。
【図３】本発明の昇圧回路の一例を示す概略の回路図である。
【図４】従来の昇圧回路の一例を示す概略の回路図である。
【符号の説明】
【００５０】
２０：ソース回路（負荷）
３０：昇圧回路
４０：チョッパ式ＤＣ／ＤＣコンバータ
４１：昇圧ＤＣ／ＤＣコントローラＩＣ
４３：電源電圧ライン
５０：チャージポンプ式ＤＣ／ＤＣコンバータ
５１：中間電圧入力ライン（電圧入力ライン）
５２：電圧出力ライン
５３：線路
Ｃ５１：昇圧用コンデンサ
Ｃ５２：平滑用コンデンサ
Ｃ５３：終端コンデンサ
Ｃ５４：中間コンデンサ
Ｄ５１：第１ダイオード
Ｄ５２：第２ダイオード
Ｌ４１：チョークコイル
Ｒ５１：第１抵抗
Ｒ５２：第２抵抗
Ｒ５３：第３抵抗
ＴＲ５１：トランジスタ
ＺＤ５１：ツェナーダイオード 
【図１】
2009050113.tif 000003
【図２】
2009050113.tif 000004
【図３】
2009050113.tif 000005
【図４】
2009050113.tif 000006